(57)【要約】【課題】外装袋のシーラント層を輸液バッグに融着しないようにして、輸液バッグを外装袋から簡単に取り出すことができる輸液バッグ包装体を提供する。【解決手段】包装袋に輸液を密封して形成される輸液バッグ２と、この輸液バッグ２を封入する外装袋３とから構成され、包装袋は、ポリプロピレンフィルムで形成され、外装袋３は、外層４をポリエステル樹脂層で形成し、シーラント層７を超高分子量のポリプロピレンを含むポリプロピレン樹脂層で形成した。【選択図】図２
2007236757.tif 000002
【特許請求の範囲】
【請求項１】
包装袋に輸液を密封して形成される輸液バッグと、この輸液バッグを封入する外装袋とから構成され、包装袋は、ポリプロピレンフィルムで形成され、外装袋は、外層をポリエステル樹脂層で形成し、シーラント層を超高分子量のポリプロピレンを含むポリプロピレン樹脂層で形成したことを特徴とする輸液バッグ包装体。
【請求項２】
外装袋のシーラント層は、分子量が１００万以上のポリプロピレン含むポリプロピレン樹脂層であることを特徴とする請求項１に記載の輸液バッグ包装体。
【請求項３】
外装袋のシーラント層は、分子量が１００万以上のポリプロピレンを少なくとも５重量％含むポリプロピレン樹脂層であることを特徴とする請求項１に記載の輸液バッグ包装体。
【請求項４】
外装袋のシーラント層は、分子量が１００万以上のポリプロピレンを含むポリプロピレン樹脂を原料として成膜したフィルムを２液反応型接着剤を介して貼り合わせることで形成されることを特徴とする請求項１に記載の輸液バッグ包装体。
【請求項５】
外層がポリエステル樹脂層であり、シーラント層が超高分子量のポリプロピレンを含むポリプロピレン樹脂層である積層フィルムにより作られたことを特徴とする包装袋。
【請求項６】
シーラント層は、分子量が１００万以上のポリプロピレン含むポリプロピレン樹脂層であることを特徴とする請求項５に記載の包装袋。
【請求項７】
シーラント層は、分子量が１００万以上のポリプロピレンを少なくとも５重量％含むポリプロピレン樹脂層であることを特徴とする請求項４に記載の包装袋。
【発明の詳細な説明】
【技術分野】
【０００１】
本発明は、包装袋に輸液を密封した輸液バッグを外装袋に封入して形成される輸液バッグ包装体および輸液バッグ包装体の外装袋に適した包装袋に関する。
【背景技術】
【０００２】
病院等で使用される輸液バッグには、高カロリー栄養液の輸液を包装袋に密封して形成されるものと、ビタミン類やアミノ酸を含む輸液を包装袋に密封して形成されるものがある。輸液バッグに用いられる包装袋は、ポリ塩化ビニルフィルムから形成されている。
【０００３】
輸液バッグを封入する外装袋は、延伸ポリプロピレンフィルム／エチレンビニルアルコール共重合体フィルム／低密度ポリエチレンフィルムの積層フィルムから形成されるもの、ポリエステルフィルム／延伸ナイロンフィルム／アルミニウム箔／無延伸ポリプロピレンフィルムの積層フィルムから形成されるもの、透明蒸着ポリエステルフィルム／延伸ナイロンフィルム／無延伸ポリプロピレンフィルムの積層フィルムから形成されるものがある。積層フィルムの内層であるシーラント層は、通常の分子量のポリプロピレン樹脂層により形成されている。
【０００４】
輸液バッグは、包装袋を水蒸気が透過しやすいポリ塩化ビニルフィルムで形成しているので、輸液から発する水蒸気が包装袋を通り抜け、包装袋に封入された輸液の濃度が変化してしまうという問題がある。
【０００５】
このような輸液バッグの包装袋の問題を解消するために、輸液バッグの包装袋を水蒸気バリヤ性にすぐれたポリプロピレンフィルムにより形成し、輸液から発する水蒸気が包装袋を通り抜けないようにし、包装袋に封入された輸液の濃度が変化しないようにした輸液バッグを開発されてきた。
【０００６】
病院等の保管時における輸液バッグの汚染を防ぐために、加熱減菌された輸液バッグを外装袋に密封した輸液バッグ包装体として病院等に搬送されるのが通常である。この場合、加熱減菌された輸液バッグを外装袋に密封する際、加熱減菌された輸液バッグに汚染が生じることが懸念される。
【０００７】
加熱減菌された輸液バッグを外装袋に密封する際の汚染を確実に防ぐために、加熱減菌処理前の輸液バッグを外装袋に密封して形成される輸液バッグ包装体を加熱減菌処理することで、外装袋に密封された輸液バッグを加熱減菌する方法が採用されることもある。
【０００８】
輸液バッグ包装体に用いられる外装袋のうち、ポリエステルフィルム／延伸ナイロンフィルム／アルミニウム箔／無延伸ポリプロピレンフィルムの積層フィルムから形成された外装袋や透明蒸着ポリエステルフィルム／延伸ナイロンフィルム／無延伸ポリプロピレンフィルムの積層フィルムから形成された外装袋は、バリヤ性および耐レトルト性がよいので、加熱減菌処理するのに適しているが、延伸ポリプロピレンフィルム／エチレンビニルアルコール共重合体フィルム／低密度ポリエチレンフィルムの積層フィルムから形成された外装袋は、バリヤ性を有しているが耐レトルト性に欠けるので、加熱減菌処理するのに適していない。
【特許文献１】特開平９−１１７４８９号公報
【発明の開示】
【発明が解決しようとする課題】
【０００９】
上記輸液バッグ包装体は、輸液バッグの包装袋をポリプロピレンフィルムで形成し、外装袋のシーラント層を通常の分子量のポリプロピレン樹脂層で形成すると、輸液バッグを外装袋を取り出した後の輸液の濃度を維持することはできるものの、加熱減菌処理するときに、包装袋のポリプロピレンフィルムおよび外装袋のシーラント層が溶融し、輸液バッグと外装袋が融着してしまい、輸液バッグを外装袋から簡単に取り出すことができないという問題がある。
【００１０】
本発明は、これらの問題を解決するためになされたもので、外装袋を取り出した後の輸液バッグの輸液の濃度を維持するとともに、、加熱減菌処理するとき、輸液バッグと外装袋が融着することがなく、輸液バッグを外装袋から簡単に取り出すことができる輸液バッグ包装体および輸液バッグ包装体の外装袋に適した包装袋を提供することを目的とする。
【課題を解決するための手段】
【００１１】
本発明の輸液バッグ包装体は、包装袋に輸液を密封して形成される輸液バッグと、この輸液バッグを封入する外装袋とから構成され、包装袋は、ポリプロピレンフィルムで形成され、外装袋は、外層をポリエステル樹脂層で形成し、シーラント層を超高分子量のポリプロピレンを含むポリプロピレン樹脂層で形成し、輸液バッグと外装袋が融着することがなく、輸液バッグを外装袋から簡単に取り出すことができる。
【００１２】
本発明の包装袋は、外層がポリエステル樹脂層であり、シーラント層が超高分子量のポリプロピレンを含むポリプロピレン樹脂層である積層フィルムから作られている。
【発明の効果】
【００１３】
本発明によれば、輸液バッグの包装袋をポリプロピレンフィルムで形成し、輸液バッグ包装体の外装袋のシーラント層を超高分子量のポリプロピレンを含むポリプロピレン樹脂層とすることで、輸液バッグの輸液の濃度を維持するとともに、加熱減菌処理するとき、輸液バッグと外装袋が融着することがなく、輸液バッグを外装袋から簡単に取り出すことができる。
【発明を実施するための最良の形態】
【００１４】
以下、本発明による輸液バッグ包装体の一実施形態について、添付の図面を参照しながら説明する。
【００１５】
本発明による輸液バッグ包装体１は、図１に示すように、高カロリー栄養液のような輸液またはビタミン類やアミノ酸を含む輸液を包装袋に密封して形成される輸液バッグ２と、この輸液バッグ２を封入する外装袋３とから構成されている。
【００１６】
輸液バッグ２の包装袋は、輸液からでる水蒸気が包装袋を通過して外部に放出することを防ぐために、ポリプロピレンフィルムから作られている。
【００１７】
輸液バッグ２を封入する外装袋３は、図２に示すように、厚さ１２マイクロメートルのポリエステルフィルム４と厚さ１５マイクロメートルの延伸ナイロンフィルム５と厚さ９マイクロメートルのアルミニウム箔６と厚さ７０マイクロメートルの超高分子量のポリプロピレンを含む無延伸ポリプロピレン樹脂層７を積層した積層フィルム８から作られている。
【００１８】
超高分子量のポリプロピレンを含む無延伸ポリプロピレン樹脂層７は、超高分子量のポリプロピレンを含むポリプロピレン樹脂を原料として成膜したフィルムを２液反応型接着剤を介してアルミニウム箔６に貼り合わせることで形成される。また、無延伸ポリプロピレン樹脂層７は、超高分子量のポリプロピレンを含むポリプロピレン樹脂を押出し成形手段によりアルミニウム箔６に接合することもできる。
【００１９】
シーラント層７に含まれる超高分子量のポリプロピレンは、通常の高分子量のポリプロピレン樹脂より分子量が相当量大きい共有結合されたポリプロピレンである。超高分子量のポリプロピレン樹脂は、通常の高分子量のポリプロピレン樹脂に比較して、耐摩耗性にすぐれ、摩擦係数が小さく、自己潤滑性を有する。ここで、超高分子量とは、分子量が１００万以上のものをいう。シーラント層７は、少なくとも５重量％、好ましくは１００重量％超高分子量のポリプロピレン樹脂で形成されている。
【００２０】
外装袋３は、無延伸ポリプロピレン樹脂層７が接するように２つ折りした積層フィルム８または無延伸ポリプロピレン樹脂層７が接するように重ね合わせ２枚の積層フィルム８を、開口端を残して縁部をヒートシール加工することで形成される。外装袋３は、両側縁にノッチを形成することで、開封を容易にすることが好ましい。
【００２１】
外装袋３に用いられる積層フィルム８は、厚さ１２マイクロメートルの透明蒸着ポリエステルフィルムと厚さ１２マイクロメートルの透明蒸着ポリエステルフィルムと厚さ１５マイクロメートルの延伸ナイロンフィルムと厚さ７０マイクロメートルの超高分子量のポリプロピレンを含む無延伸ポリプロピレン樹脂７を接着剤を介して積層したものであってもよい。
【００２２】
本発明による輸液バッグ包装体１は、輸液バッグ２に封入された輸液を加熱減菌処理するために、図示しないオートクレーブ装置を用いて１２０℃〜１２５℃の温度で３０分〜４５分加熱減菌処理される。
【００２３】
本発明による輸液バッグ包装体１は、包装袋をポリプロピレンフィルムで形成し、外装袋３のシーラント層７を超高分子量のポリプロピレンを含む無延伸ポリプロピレン樹脂層で形成しているので、シーラント層７の表面が粗面となり、輸液バッグの輸液を加熱減菌処理するとき、外装袋３のシーラント層７が輸液バッグ２に密着することがなく、したがって、輸液バッグ２と外装袋３が融着することがなく、しかも、外装袋３のシーラント層７は摩擦係数が小さい特性を有するので、輸液バッグ２を外装袋３から簡単に取り出すことができる。
【図面の簡単な説明】
【００２４】
【図１】本発明による輸液バッグ包装体の平面図である。
【図２】本発明による輸液バッグ包装体の外装袋を構成する積層フィルムの斜視図である。
【符号の説明】
【００２５】
１  輸液バッグ包装体
２  輸液バッグ
３  外装袋
７  ポリプロピレン樹脂層
８  積層フィルム
【図１】
2007236757.tif 000003
【図２】
2007236757.tif 000004